(57)【要約】      （修正有）【課題】ホテル等での顧客系データと勘定系のデータとを一緒にして管理し、事務処理を容易にする。【解決手段】予約関連情報を入力する施設端末2、顧客の勘定決済を表す勘定系データと顧客が所定施設内で利用するカード情報を表す顧客系データとを入力するＰＯＳレジスタ3、顧客系データをＪＡＮコードに変換してＰＯＳレジスタ3へ出力する入力中継装置8、勘定系データと顧客系データが、ＰＯＳレジスタ3から関連付けられてインターネットを介して入力されるデータベースサーバ4、入力中継装置8及び施設端末2からのデータをインターネットを介して受け取ると共に、データベースサーバ4に取り込まれたデータが自動的に送られる施設サーバ5を含む。これにより、データベースサーバ4と施設サーバ5とのデータを自動照合することにより、顧客情報の管理、および売上、カードの利用状況のチェックの時間を短縮し、不正防止機能を持たせる。【選択図】図１
2010128955.tif 000002
【特許請求の範囲】
【請求項１】
予約関連情報を入力する施設端末と、
前記予約関連情報に対する顧客の勘定決済を表す勘定系データ、および顧客が所定施設内で利用するカード情報を表す顧客系データを入力するＰＯＳレジスタと、
前記カード情報の顧客系データをＪＡＮコードに変換して前記ＰＯＳレジスタへ出力するためのＣＰＵを含む入力中継装置と、
前記勘定系データと前記顧客系データが、前記ＰＯＳレジスタから関連付けられてインターネットを介して入力されるデータベースサーバと、
前記入力中継装置及び前記施設端末からのデータを、前記インターネットを介して受け取ると共に、前記データベースサーバに取り込まれたデータが自動的に送られる施設サーバと、を含むことを特徴とする顧客系及び勘定系のデータ総合管理システム。
【請求項２】
前記顧客系データは、顧客が所定の施設内で利用する各種のカードに入力されるデータであることを特徴とする請求項１記載のデータ総合管理システム。
【請求項３】
前記勘定系データは、顧客名、顧客コードに基づいて支払われる現金、クレジット、及び利用券による各種売掛勘定のデータであることを特徴とする請求項１記載のデータ総合管理システム。
【請求項４】
顧客系データを入力する手段は、磁気カードリーダ、ＩＣカードリーダ、及びハンドスキャナであることを特徴とする請求項１または請求項２に記載のデータ総合管理システム。
【請求項５】
前記勘定系データを入力する手段は、前記施設端末、および前記ＰＯＳレジスタに付随する磁気カード入力器及びテンキーであることを特徴とする請求項１または請求項３に記載のデータ総合管理システム。
【請求項６】
前記データベースサーバは、前記施設端末及び前記ＰＯＳレジスタからのデータが、インターネットを介して入力され、かつ前記ＰＯＳレジスタからのデータを前記端末サーバに出力することを特徴とする請求項１に記載のデータ総合管理システム。
【請求項７】
前記ＰＯＳレジスタは、磁気カード入力器及びテンキーに接続され、インターネットを介して前記データベースサーバに勘定系データまたは顧客系データを出力することを特徴とする請求項１または請求項５に記載のデータ総合管理システム。
【請求項８】
前記入力中継装置は、顧客系データを入力する手段に接続され、ＪＡＮコードに変換したデータを前記ＰＯＳレジスタとインターネットを介して前記施設サーバに出力することを特徴とする請求項１に記載のデータ総合管理システム。
【発明の詳細な説明】
【技術分野】
【０００１】
本発明は、ホテル、旅館、スポーツクラブ等の顧客系及び勘定系のデータ総合管理システムに関するものである。
【背景技術】
【０００２】
従来、例えば、ホテルでは、顧客は宿泊後に現金、クレジットカード、利用券等で利用料金を支払うのが通例であり、また貸勘定として後に一括払いで請求することもある。その場合、カード類にはクレジットカードのほか、各種のカードが使用されている。
【０００３】
ホテル側にとっては、利用者のデータとして、現金、クレジット、及び掛売り等の各種売上勘定の勘定系データと、顧客がそのホテルを利用する場合に使用するカード（クレジットカード、磁気カード、ＩＣカード、バーコードが記載されたカード等）の顧客系データとがあり、両者は、別々のシステムで管理されていた。
【０００４】
これは、顧客系データにいろいろな種類があるのと、カードには顧客の利用に応じたポイント、景品、キャッシュバック、その他があり、顧客へのサービスのためのデータの処理（例えば、ホテルの利用回数に応じた割引）、顧客数に応じたカードデータの記録管理が必要であったためである。
【０００５】
ホテルとしては、顧客系データと勘定系データとを一緒にして管理した方が、事務処理が楽であり、請求書の発行も容易である。また、そのための人的なコストも小額で済む。
しかし、従来、顧客系データと勘定系データとを一緒にして扱うシステムがなかった。
【０００６】
また、従来のシステムにおいて、ホテルの受付業務の削減を図って業務の効率化を行うと共に宿泊者の利便性を向上するものがある。
例えば、特許文献１では、図３に示すように、複数の個別施設からなる施設を利用する顧客が所有するＩＣカード３０から当該顧客の個人情報を含むカードデータを取得する受付端末３７と、個人情報に対応させて顧客の施設利用及び施設利用明細を管理するホストコンピュータ３１と、顧客が施設利用を終了する際に、施設利用明細に基づき利用料金を請求して精算する精算端末３８とを設けるシステムが開示されている。
【０００７】
このシステムによれば、顧客所有のＩＣカード３０を施設利用や施設利用明細の管理に利用するため、ホテル側が顧客にＩＣカード３０を貸し与える必要がなくなると共に、また施設利用明細に基づき精算するため、顧客が受付でＩＣカード２を借受け、返却し、精算する手続きが不要になって、業務の効率化及び利便性の向上が図れる。
【０００８】
しかし、この場合の顧客管理システムは、図３に示すように、顧客データを管理するホストコンピュータ３１、専用線やＬＡＮによりホストコンピュータ３１と接続されると共にＷＡＮ３２を介して非接触型ＩＣカード３０を管理するＩＤ管理センタ３３と接続されたＦＥＰ（フロントエンドプロセッサ）３４、専用線やＬＡＮによりＦＥＰ３４と接続されて、主に受付ロビーに設置された受付装置３５、専用線やＬＡＮによりＦＥＰ３４と接続されて各部屋やレストラン、売店等の個別施設に対応して設けられた複数の個別施設装置３６等を備える必要がある。
【０００９】
また、個別施設装置３６として、部屋の解錠を行うドア解錠端末３９、売掛情報を取得する簡易型物販端末４０を備え、宿泊の予約は電話４１,４２又は顧客端末４３でインターネットを介して行う構成であり、種々の装置が新たに必要となり、また、顧客所有のＩＣカードを用いるので、カード内の個人情報が漏れる危険性もある。
【特許文献１】特開平２００５−２５８５００号公報
【発明の開示】
【発明が解決しようとする課題】
【００１０】
さらに、これまでのシステムでは、顧客のクレジットカードはセキュリティが厳しく、勘定系のクレジットデータ及び顧客系データとの照合が容易ではなく、勘定系のクレジットデータと顧客系データとが紐付けされていないので、コンピュータ上のクレジットの売上と実際の売上を照合することが難しい。
また、両データの照合が処理上難しいことから、売上の削除等の改ざんが行われる事例が発生し、また、その発見が容易でないため、管理者が必要とする不正防止機能が十分に働かない。
【００１１】
このような事情に鑑みて、本発明は、顧客系データと勘定系データを一緒に管理し、各データの照合を容易にし、かつ有効な不正防止機能を備えたデータ総合管理システムを提供することを目的としている。
【課題を解決するための手段】
【００１２】
上記目的を解決するために、本発明は、予約関連情報を入力する施設端末と、前記予約関情報に対する顧客の勘定決済を表す勘定系データ、および顧客が所定施設内で利用するカード情報を表す顧客系データを入力するＰＯＳレジスタと、前記カード情報の顧客系データをＪＡＮコードに変換して前記ＰＯＳレジスタへ出力するためのＣＰＵを含む入力中継装置と、前記勘定系データと前記顧客系データが、前記ＰＯＳレジスタから関連付けられてインターネットを介して入力されるデータベースサーバと、前記入力中継装置及び前記施設端末からのデータを、前記インターネットを介して直接受け取ると共に、前記データベースサーバに取り込まれたデータが自動的に送られる施設サーバと、を含むことを特徴としている。
【００１３】
この構成によれば、施設端末及びＰＯＳレジスタからの勘定系データと、入力中継装置から直接またはＰＯＳレジスタを介して送られる顧客系データを、データベースサーバが関連付けて取り込み、このデータを施設サーバに自動的に出力するので、２つの顧客データ情報である顧客系データ及び勘定系データを、施設サーバを介して照合することができ、顧客管理を総合的に実施でき、業務の簡素化を実現できる。
【００１４】
本発明の他の好ましい構成によれば、前記顧客系データは、顧客が所定の施設内で利用する各種のカードおよびバーコードを介して入力されるデータであることを特徴とする。これによれば、顧客が、所定の店舗または地域内で利用したことによって発生する顧客系データとして処理できる。
【００１５】
また、他の構成によれば、前記勘定系データは、顧客名、顧客コードに基づいて支払われる現金、クレジット、及び利用券による各種売掛勘定のデータであることを特徴とする。これにより、施設端末によって生じた予約関連情報に基づいて決済される勘定系データをＰＯＳレジスタを介して処理することができる。
【００１６】
さらに、他の構成によれば、顧客系データを入力する手段は、磁気カードリーダ、ＩＣカードリーダ、及びハンドスキャナであり、前記勘定系データを入力する手段は、前記施設端末、および前記ＰＯＳレジスタに付随する磁気カード入力器及びテンキーであることを特徴としている。
この結果、それぞれの端末からカード及びバーコードのデータ情報を得ることができる。
【００１７】
また、本発明の構成によれば、前記データベースサーバに、前記施設端末及びＰＯＳレジストからのデータが、インターネットを介して入力され、かつこれらのデータを施設サーバに送られるので、データベースサーバと施設サーバとのデータの自動照合が可能になる。
【００１８】
さらに、本発明に係るＰＯＳレジスタは、磁気カード入力器及びテンキーに接続され、インターネットを介してデータベースサーバに勘定系データまたは顧客系データを出力することを特徴とする。これにより、データベースサーバは、２つのデータを保存し、これを施設サーバに供給することが可能になる。
【００１９】
また、入力中継装置は、顧客系データを入力する手段に接続され、ＪＡＮコードに変換したデータをＰＯＳレジスタとインターネットを介して施設サーバに出力することを特徴とする。これにより、入力中継装置によって、ＰＯＳレジスタと施設サーバとに顧客系データを供給するので、施設サーバにおいて、データベースサーバからのデータと照合することができる。
【発明の効果】
【００２０】
本発明によれば、データ総合管理システム内で、勘定系データと顧客系データとのデータ管理を一緒に行うことにより、顧客情報の管理が手軽にでき、人的コストを要せず、売上や、クレジットカードの利用状況のチェック時間が短縮できる。また、２つのデータをコンピュータ上で照合することが可能になり、従業員の不正防止にも役立つものである。
【発明を実施するための最良の形態】
【００２１】
図１は、ホテルを例とした本発明のデータ総合管理システム１全体を説明する図であって、勘定系と顧客系の接続を説明する図である。
図１において、勘定系データを扱う装置としては、ホテルシステム端末２、ＰＯＳレジスタ３、データベースサーバ４、ホテルサーバ５がある。
施設端末２（例えば、ホテルシステム端末）は、宿泊予定者の予約、チェックイン、チェックアウト等のデータを入力するものである。
【００２２】
ＰＯＳ（Point of Sale）レジスタ３は、ホテルの利用会員のデータを読み取る磁気カード入力器１１、テンキー１２や電子決済を可能とする入力部を備えたレジスタであり、ホテル内での顧客の勘定決済による支出として、現金、クレジットカード、貸勘定を扱うことができる。ＰＯＳレジスタ３は、入力されたデータを、ルータ７、インターネット９を介してデータベースサーバ４に送る。
ＰＯＳレジスタ３は、また、後述する顧客系データを受け入れるように構成されている。
【００２３】
本発明のデータ総合管理システム１では、さらに、顧客系データを扱う機器として、クレジットカード類のデータ読取装置としての磁気カードリーダ１４、ＩＣカードリーダ１５、ハンドスキャナ１６があり、それらの装置から読み取られたデータをＪＡＮ(Japan Article Number)コードに変換する入力中継装置（ＣＰＵ）８が設けられる。
【００２４】
磁気カードリーダ１４、ＩＣカードリーダ１５、ハンドスキャナ１６は、顧客が所定の店舗または地域（本実施形態ではホテル）内で利用する各種のカードおよびバーコードを読み取る装置で、顧客系データを入力する手段である。この顧客系データは、中継ＣＰＵ８において、ＪＡＮコードに変換され、そのデータが、ＰＯＳレジスタ３と、ルータ７、インターネット９を介してホテルサーバ５に送られる。
【００２５】
ＪＡＮコードは、例えば、通常、商品にマ−キングされ、ＰＯＳシステムで活用されている。周知のようにＪＡＮコードには、標準タイプ（13桁）と短縮タイプ（8桁）があるが、ここでは標準タイプを２段にして26桁を使用する。使用するコードには、少なくとも顧客データと金額データ（勘定系データ）のコードが含まれる。
ＪＡＮコード変換されたデータを入力するＰＯＳレジスタ３は、現金の外、会員用磁気カード、決済機能付き携帯電話［例えば、おサイフケータイ（登録商標）］等が扱えるレジスタであり、データベース機能を有し、ＪＡＮコードの値を検索キーとすることができる。
【００２６】
ＰＯＳレジスタ３は、インターネット９を介してデータベースサーバ４に接続されており、ＪＡＮコードが入力されると、カードの種類、顧客名、金額その他のデータに変換し、データベースサーバ４にデータを送信する。このデータベースサーバ４のデータは、クレジットカード会社に出力され、クレジットカード会社１０から各顧客に支払い請求が送られる。
【００２７】
データベースサーバ４は、勘定系データ（カードの種類、顧客コードと金額等）をデータベース化し、そのデータをホテルサーバ５に送る。
ホテルサーバ５には、ＰＯＳレジスタ３からの勘定系データと、入力中継装置８からの顧客系データとが送られてくるので、これらデータとデータベースサーバ４からのデータ（勘定系データのみ）とを、自動照合できる機能を有する。
【００２８】
図２は、本発明のシステムを構成する各ユニット間のデータフローを示す図である。上段は、図１の各機器を表し、その下に信号の入出力タイミングを矢印で記載した。
ホテルシステム端末２は、電話予約及び来場予約等の予約関連情報が入力されるものであり、ルートＡに示すように、ホテルサーバ（施設サーバ）５と同期してデータが相互に送信される。また、インターネット９を介してのＷｅｂ予約が、ルートＢを介して予約関連データとしてホテルシステム端末（施設端末）２に入力される。
ホテルシステム端末２に、ホテル管理担当者またはインターネット７を介して入力された予約関連データは、ルートＣの流れによってルータ７、インターネット９を介してホテルサーバ（施設サーバ）５に送信される。
【００２９】
ホテル等の施設内において、顧客が支払いの際に、クレジットカード類を使用した時は、その種類に応じて、顧客系入力装置（磁気カードリーダ１４、ＩＣカードリーダ１５、ハンドスキャナ１６）が使用され、それぞれのデータは、中継ＣＰＵ（入力中継装置）８に入力され、ＪＡＮコードに変換される。ここで、磁気カードリーダ１４は、会員カードが用いられる場合に使用されるものである。中継ＣＰＵ８によってコード化されるＪＡＮコードは、ＪＩＳにより規格化されたバーコードを用いてＰＯＳシステムで活用されるものであり、この変換データが、顧客系データとしてＰＯＳレジスタ３に送信されると同時に、中継ＣＰＵ８から直接、ルートＤの流れを経由して、ルータ７、インターネット９を介してホテルサーバ５にも送信される。
【００３０】
一方、ＰＯＳレジスタ３に接続された磁気カード入力器１１、テンキー１２を介して、カードまたは現金での支払いが行われた場合、これらの勘定系データがＰＯＳレジスタ３に入力される。そして、中継ＣＰＵ８からＰＯＳレジスタ３に送信されたＪＡＮコード化された顧客系データの流れと同一のルートＥを経由して、ＰＯＳレジスタ３からルータ７、インターネット９を介してデータベースサーバ４に送信される。
データベースサーバ４は、これらのデータを直ちにインターネット９を介してホテルサーバ５に両データを送信する。
【００３１】
これにより、ＰＯＳレジスタ３で直接処理された勘定系データと、中継ＣＰＵ８を介してＰＯＳレジスタ３に入力した顧客系データとが、データベースサーバ４からホテルサーバ５に供給されるので、ホテルサーバ５は、これらのデータと中継ＣＰＵ８からの顧客系データとを自動的に照合し、一致しないものについては、検査できる。
【００３２】
自動照合されるデータには、現金入金のチェック（宿泊者の支払い金額の入力、前受金から宿泊分の差し引き）、クレジットカードに関連するチェック（クレジット控えとの照合）、掛売りのチェックがある。これらのチェックは、ホテルサーバ５のソフトウエアにより行われる。
【００３３】
従来、中継ＣＰＵ８からの顧客系システムが、全く独立していたので、勘定系データとの照合は、人手を介してやらざるを得なかったが、本発明のシステムによれば、データ上、不一致のものを自動的にはじきだすので、事務処理が容易になった。
また、従業員の不正防止、ホテルでの金銭管理や、クレジットの掛売り金額の間違いを防止できる。
【００３４】
なお、入力中継装置を設けることにより、様々な発展が期待できる。例えば、図１のネットワークにおいて、ホテルサーバとダイレクトに接続が可能になり、チェックイン時のホテルシステム端末での作業が不要となる。
【００３５】
これと同時に、データベースサーバから売上データをもらう必要がなくなり、データベースサーバの対応とは無関係に運用が可能になる。また、宿泊料の変更があった場合でも、入力中継装置で一旦データをプールすることにより、修正が可能となり、確定後、データをネットレジ、ホテルサーバに送信すればよい。
【図面の簡単な説明】
【００３６】
【図１】図１は、本発明の勘定系と顧客系を含む全体図である。
【図２】図２は、本発明の各機器間のデータフローを示す図である。
【図３】図３は、従来例の顧客管理システムを示す構成図である。
【符号の説明】
【００３７】
１  データ総合管理システム
２  ホテルシステム端末
３  ＰＯＳレジスタ
４  データベースサーバ
５  ホテルサーバ
７  ルータ
８  中継ＣＰＵ
９  インターネット
【図１】
2010128955.tif 000003
【図２】
2010128955.tif 000004
【図３】
2010128955.tif 000005